(57)【特許請求の範囲】
【請求項１】
相対する平面シートとこの平面シートの間に二つ折りして折り入れられていて平面シートの幅方向に相対する側面シートとからなり、前記平面シートの相対するシート縁部同士が融着され、平面シートと側面シートとの相対するシート縁部同士が融着されている袋本体と、前記袋本体の上部側の一方の隅部を傾斜させた平面シートの傾斜シート縁部の間に挟み込みして融着により取り付けられている注出口具とを有する注出口具付きガゼット袋において、
注出口具の取り付け部分側の前記側面シートに、該側面シートの上部を二つ折りの状態で袋側部に向けて折り返して前記傾斜シート縁部の間に側面シートを非存在にする注出口具取付用逃げ部が設けられていて、
前記袋本体の上辺で前記平面シートの相対するシート面同士を融着するとともに平面シートと側面シートとの相対するシート面同士を融着して袋本体の上部を閉じる融着部が形成されていて、袋本体の上辺とされた前記融着部の上方に持ち手部が設けられており、
前記融着部は、前記注出口具が取り付けられている部分より袋高さ方向の上方であってこの注出口具が取り付けられている部分に近接する高さ位置にあり、袋本体の幅方向に亘って直線状とされていることを特徴とする注出口具付きガゼット袋。
【請求項２】
上記融着部の上方に平面シートと側面シートとが延設されていて、上記持ち手部は、この持ち手部の形成位置の少なくとも一部分に前記融着部の上方に延設された平面シートと側面シートとが重ね合わされている領域が含まれるようにして切り込み形成されているものである請求項１に記載の注出口具付きガゼット袋。
【請求項３】
上記注出口具は、上記傾斜シート縁部での注出口具取付用逃げ部側に偏倚している請求項１または２に記載の注出口具付きガゼット袋。
【請求項４】
上記袋本体の下辺で上記平面シートと側面シートとのシート縁部が融着されている部分において、側面シートのシート縁部の二つ折りして同一位置となる部分に切り欠き部が設けられていて、袋本体の下辺での平面シートの前記切り欠き部の位置で相対するシート縁部同士が融着されている請求項１から３の何れか一項に記載の注出口具付きガゼット袋。
【発明の詳細な説明】
【技術分野】
【０００１】
本発明は液体製品、例えば液体洗剤や柔軟剤などのトイレタリー用品、食用油やソースなどの液体調味料、インスタントコーヒーなどの飲料食品、エンジンオイルなどの工業製品が例として挙げられるような液体を収納でき、収納物を収納した状態で片手持ちできる程度に容量を大きくし、そして収納物を収納することで袋の底部に据え置きできる面が形成されて自立できる形状となる注出口具付きガゼット袋に関するものである。
【背景技術】
【０００２】
ガゼット袋には、柔軟性を有するシートの貼り合わせによって製造され、容量を大きくするとともに収納物を充填することで袋の底部に据え置きできる面が形成されて自立できるものがあり、従来から多く流通している。
【０００３】
そして収納された収納物が注出し易くなるように注出口具が取り付けられているガゼット袋が、例えば特許文献１に示されている。特許文献１に示されている注出口具付きガゼット袋にあっては、袋正面と袋背面となる相対する二枚の平面シートの間に、平面シートの幅方向（袋の幅方向）に相対するようにして側面シートが配されていて、この側面シートは前記平面シートの間に二つ折りにして折り入れられている。さらに二枚の平面シートの底部側の間に別シートとして底面シートも折り入れられている。
【０００４】
上記ガゼット袋は重ね合わせによって相対するシート縁部がヒートシールによって融着されているものであって、平面シートの相対するシート縁部同士が融着され、また平面シートと側面シートとの相対するシート縁部同士や、平面シートと底面シートとの相対するシート縁部同士、側面シートと底面シートとの相対するシール縁同士を融着して袋本体を形成する点が示されている。そして袋本体の上部側の一隅を角立つ形状とはせずに、直線状に傾斜していて、平面シートの相対する傾斜シート縁部の間に注出口具を位置させ、この状態で一体に融着することで注出口具を袋本体に取り付けている。
【０００５】
さらにこの特許文献１に示された注出口具付きのガゼット袋では、注出口具が位置する側の側面シートの上部を、その側面シートの中央部分となる位置から袋外方に折り出す工夫が示されている。
【０００６】
また特許文献２では、二つ折りの側面シートそれぞれを袋本体の中段となる高さ位置で二つ折りの状態のままで袋本体の側辺に向けて折り曲げて、折り曲げ部分の側辺を袋本体の側辺の位置で一体に融着しており、側面シートそれぞれを袋本体の上辺までには達しさせないようにして、側面シートの折り込み線の間隔を、袋高さ方向の中段付近より下方では、袋本体の上辺で注出口具が取り付けられている部分の幅より小さくし、袋高さ方向の中段から上方では注出口具の取り付け部分の幅より大きくなるようにした工夫が示されている。
【先行技術文献】
【特許文献】
【０００７】
【特許文献１】特開２０１３−２３３９８７号公報
【特許文献２】特開２０１４−１８４９８２号公報
【発明の概要】
【発明が解決しようとする課題】
【０００８】
上記特許文献１に示されたガゼット袋を容量が大きい大型の袋とすると、注出口具が袋本体の上部の一隅に位置しているので収納物の注ぎ出しが行ない易いと考えられる。しかし、袋本体自体には持ち手部が無く、袋本体の上部を提げ持ちして全体を支えることができない。そのため容量を大きくした袋から収納物を外部に注ぎ出すときの傾け操作が非常に困難になるという大きな不具合を生じ、容量を大きくして業務用途の収納物を収納する袋としては採用できない。
【０００９】
また特許文献２に示されたガゼット袋にあっても、特許文献１のガゼット袋と同様に持ち手部が無いため、収納物の注ぎ出しの操作が非常に困難なものとなる。さらに注出口具が袋本体の上辺の中央に位置していることから、収納物を注ぎ出して移し入れる相手容器がプラスチックボトルのように小径の口部を有するものであると、注出口具を近付けようとした際に袋本体の上部端部や袋本体の側部が邪魔になってしまう。
【００１０】
即ち、ガゼット袋では袋本体の上部が平面シート及び側面シートを一体的に融着して閉じられている構成が多く、袋本体の上部が一般的には袋本体の幅方向に沿った方向での剛性が高くなっており、袋本体上部の形状が安定している。そのため、収納物を注ぎ出すときには袋本体を横方向に傾けるようにすることとなる。しかし注ぎ出しするときに注出口具を近付けようとすると、袋本体の上部一隅や袋本体の側部が邪魔になり、離した相手容器の口部に収納物を安全に注ぎ入れることができないという問題がある。
【００１１】
そこで本発明は上記事情に鑑み、注出口具を袋本体の上部一隅に配することの利点を活かして、容量の大きいガゼット袋からの収納物の注ぎ出しが安全にして確実に行なえるようにすることを課題とし、取り扱い容易なガゼット袋を提供することを目的とするものである。
【課題を解決するための手段】
【００１２】
（請求項１の発明）
本発明は上記課題を考慮してなされたもので、相対する平面シートとこの平面シートの間に二つ折りして折り入れられていて平面シートの幅方向に相対する側面シートとからなり、前記平面シートの相対するシート縁部同士が融着され、平面シートと側面シートとの相対するシート縁部同士が融着されている袋本体と、前記袋本体の上部側の一方の隅部を傾斜させた平面シートの傾斜シート縁部の間に挟み込みして融着により取り付けられている注出口具とを有する注出口具付きガゼット袋において、
注出口具の取り付け部分側の前記側面シートに、該側面シートの上部を二つ折りの状態で袋側部に向けて折り返して前記傾斜シート縁部の間に側面シートを非存在にする注出口具取付用逃げ部が設けられていて、
前記袋本体の上辺で前記平面シートの相対するシート面同士を融着するとともに平面シートと側面シートとの相対するシート面同士を融着して袋本体の上部を閉じる融着部が形成されていて、袋本体の上辺とされた前記融着部の上方に持ち手部が設けられており、
前記融着部は、前記注出口具が取り付けられている部分より袋高さ方向の上方であってこの注出口具が取り付けられている部分に近接する高さ位置にあり、袋本体の幅方向に亘って直線状とされていることを特徴とする注出口具付きガゼット袋を提供して、上記課題を解消するものである。
【００１３】
（請求項２の発明）
そして本発明において、上記融着部の上方に平面シートと側面シートとが延設されていて、上記持ち手部は、この持ち手部の形成位置の少なくとも一部分に前記融着部の上方に延設された平面シートと側面シートとが重ね合わされている領域が含まれるようにして切り込み形成されているものであることが良好である。
【００１４】
（請求項３の発明）
また本発明において、上記注出口具は、上記傾斜シート縁部での注出口具取付用逃げ部側に偏倚しているものであることが良好である。
【００１５】
（請求項４の発明）
また本発明において、上記袋本体の下辺で上記平面シートと側面シートとのシート縁部が融着されている部分において、側面シートのシート縁部の二つ折りして同一位置となる部分に切り欠き部が設けられていて、袋本体の下辺での平面シートの前記切り欠き部の位置で相対するシート縁部同士が融着されているものであることが良好である。
【発明の効果】
【００１８】
（請求項１の発明の効果）
請求項１の発明によれば、注出口具側の側面シートの上部を袋側部に折り返して注出口具取付用逃げ部が設けられて、傾斜シート縁部の間には側面シートが存在しないようにしているので、傾斜シート縁部の間において注出口具を取り付ける位置の選択幅が広くなるという効果を有する。
【００１９】
そして傾斜シート縁部に注出口具が取り付けられていることから、ガゼット袋の容量が大きい場合でも袋形状がコンパクトになるとともに、収納物を注ぎ出すときに相手容器との間で袋本体の上部や側部が邪魔にならず、注出口具の位置を定め易くなる。そのため相手容器の口部が小さい場合でも収納物を安全に注ぎ出すことができる。
【００２０】
また持ち手部を袋本体の上部側に有しているので、注ぎ時や運搬時に持ち易くなって取り扱いが容易になるという効果を奏する。さらに、収納物を注ぎ出す際に注出口具が下となるように袋本体を傾けても、収納物が融着辺側に溜まって注出口具から出難くなるのを防止できる。
【００２１】
（請求項２の発明の効果）
請求項２の発明によれば、持ち手部の下部にこの持ち手部と収納空間とを区切る融着部が位置することとなり、持ち手部から収納物が漏れ出るのを確実に防止できる。また持ち手部を、平面シートと側面シートとが重なっている領域が含まれるようにして形成しているので、持ち手部の強度を別部材を用いることなしに高めることができ、収納物の容量が大きい場合でも持ち手部の切れを防止できる。
【００２２】
（請求項３の発明の効果）
請求項３の発明によれば、注出口具を注出口具取付用逃げ部側に偏倚させて位置させているので、注出口具の袋幅方向の位置から側方に食み出る袋側部が存在しないか、或いは僅かだけ食み出る程度のものとなり、相手容器の口部に注出口具をより近付け易くなり、より安全に収納物を注ぎ出すことができる。
【００２３】
（請求項４の発明の効果）
請求項４の発明によれば、平面シートの下辺となる相対したシート縁部を側面シートの切り欠き部の位置で直接融着しているので、袋本体の底部での破袋強度がより高まり、収納物を収納した後の輸送時に破袋が生じ難くなるという効果がある。
【図面の簡単な説明】
【００２６】
【図１】本発明に係る注出口具付きガゼット袋の実施の形態を示す説明図である。
【図２】実施の形態の使用状態を示す説明図である。
【図３】モニター評価における袋の形態を示す説明図である。
【発明を実施するための形態】
【００２７】
つぎに本発明を図１と図２に示す実施の形態に基づいて詳細に説明する。図中１は注出口具付きガゼット袋で、該ガゼット袋１は袋内方側をシーラント層とするシートを重ね合わせて所要部位を融着することにより成形された袋本体２と、袋本体２に融着して取り付けられた合成樹脂製の注出口具３とを備えてなるものである。
【００２８】
上記袋本体２は、図１に示されているように袋正面と袋背面となる相対する二枚の平面シート４とこの平面シート４の間に二つ折りして折り入れられていて平面シート４の幅方向（袋幅方向）に相対する二枚の側面シート５とからなる。そして前記平面シート４の相対するシート縁部同士が融着され、平面シート４と側面シート５との相対するシート縁部同士が融着されている。
【００２９】
図示の実施の形態では、平面シート４の左右の側端縁であるシート縁部と、二つ折りされて折り入れられている側面シート５の袋側方側の側端縁であるシート縁部とが直接に相対していて、この平面シート４の側端縁のシール縁部と側面シート５の側端縁のシール縁部とをヒートシールにより融着した融着部分が、袋本体２の高さ方向に亘る側辺６として形成されている。
【００３０】
また平面シート４の下端縁であるシート縁部が相対している間に二つ折りの側面シート５の下端縁であるシート縁部が配された状態であり、袋本体２の幅方向に亘る下辺７において、直接に相対する平面シート４の下端縁のシール縁部と側面シート５の下端編のシール縁部とがヒートシールにより融着され、左右の側面シート５の間の部分では直接に相対する平面シート４の下端縁のシール縁部同士がヒートシールにより融着されている。
【００３１】
さらに袋本体２の下辺７側には、袋本体２の内部が広がるときに側面シート５の下部側が折れ込みし易くするための傾斜融着部８が設けられていて、下辺７に側辺シート５の中央折り込み線が交差する位置から側辺６にかけて正面シート４と側面シート５とを傾斜した帯状にヒートシールにより融着している。
【００３２】
（傾斜シール縁部）
実施の形態のガゼット袋１では、袋本体２の上部側の一隅が図示されているように直線状に傾斜していて、袋正面と袋背面となる平面シート４それぞれの上部一隅が傾斜して相対する傾斜シート縁部９同士をヒートシールにより融着した融着部によって傾斜側辺１０が形成されている。そして、この傾斜側辺１０において注出口具３が配置されていて、平面シート４の傾斜シート縁部９の間に注出口具３の取付部１１を挟み込みし、この取付部１１を傾斜シート縁部９で挟み込んだ状態でヒートシールにより融着した注出口具３が取り付けられている。
【００３３】
（袋本体の融着部）
袋本体２は、注出口具３の取付部１１が固定されている部分より袋高さ方向の上方であってこの取付部１１が固定されている部分に近接する高さ位置を上辺１２としていて、この上辺１２の袋高さ方向での高さ位置で平面シート４の相対するシート面同士を融着するとともに平面シート４と側面シート５との相対するシート面同士をヒートシールにより融着しており、この上辺１２を袋本体２の上部を閉じる融着部１３としている。この融着部１３は袋本体２の幅方向に亘って直線状とされ、一方が上記傾斜シート縁部９に連続し、他方が注出口具側とは反対の側辺６に連続している。
【００３４】
（持ち手部）
袋本体２の上辺１２とした上記融着部１３の位置から図示されているように平面シート４、側面シート５それぞれが上方に延設されている。そして平面シート４の延設上端辺となるシート縁部と側面シート５の延設上端辺となるシート縁部とが直接相対し、また袋本体２の中央部分では平面シート４の延設上端辺のシート縁部同士が直接相対し、ヒートシールにより融着して上端融着部１４が形成されいる。この上端融着部１４自体は袋本体２の側辺６（注出口具側とは反対位置の側辺）と連続しているとともに、上記傾斜融着部８とも連続する。
【００３５】
袋本体２の上辺１２の位置とされた上記融着部１３と上端融着部１４との間には持ち手部１５が切り込み形成されている。そして、この持ち手部１５は、大部分が平面シート４と側面シート５とが重ね合わされている領域に含まれるように配置されており、手掛けした際の強度を向上させるようにしている。この持ち手部１５は、側面シートが位置する領域が掛かるように配置される必要は必ずしもないが、大部分が側面シートが存在する領域に位置するように、或いは全てが側面シートが存在する領域に配置されることが望ましい。
【００３６】
（注出口具取付用逃げ部）
図示されているように上記注出口具３が取り付けられている側の側面シート５にあっては、袋本体２の内部側で略三角形状の注出口具取付用逃げ部１６が設けられている。この注出口具取付用逃げ部１６は、側面シート５の上部を二つ折りの状態のままで袋側部に向けて折り返して、側面シート５自体に重ね合わせた略三角形状としてなるものであり、側辺６側となる側部をこの側辺６の融着部部分で一体にヒートシールにより融着固定している。
【００３７】
注出口具取付用の逃げ部１６は、上記傾斜シート縁部９の間に側面シート５を位置させないようにして折り返しを行なっていることから、上述したように傾斜側辺１０では傾斜シート縁部９のみで注出口具３を挟み込んでいる。そして、注出口具３は注出口具取付用逃げ部１６側に偏倚した位置に融着されており、注出口具３の袋本体幅方向において注出口具３の位置より袋本体２の側辺６が側方に食み出る位置とならないように設けられている。
【００３８】
（閉鎖融着部）
さらにこの注出口具取付用逃げ部１６の下辺には、この注出口具取付用逃げ部１６が重ね合わされている側面シート５にヒートシールにより融着した閉鎖融着部１７が融着部である側辺６にまで達して形成されている。この閉鎖融着部１７が存在することで注出口具取付用逃げ部１６と側面シート５との間に収納物が進入するのを防止する。
【００３９】
（袋本体底部補強）
実施の形態の注出口具付きガゼット袋１では、収納物を収納して袋本体２の下部にこの袋本体２を平面板などの上に据え置きできる広がった面の底部が形成される。そして、収納物を収納した状態で広がりのある底部において破袋が生じないように袋本体２の下辺７が補強されている。袋本体２の前記下辺７の補強は平面シート４同士を直接ヒートシールして融着した箇所を多くすることによって行われているものである。
【００４０】
具体的には、袋本体２の下辺７で平面シート４と側面シート５とのシート縁部が融着されている部分において、側面シート５のシート縁部の二つ折りして同一位置となる部分に切り欠き部１８を設けている。そして前記下辺７での平面シート４の切り欠き部１８の位置で相対するシート縁部同士をヒートシールにより融着している。勿論この切り欠き部１８は側辺シート５のシート縁部との融着部の範囲内に位置する。
【００４１】
このように下辺７における側面シート５が二つ折りして折り込まれている部分において切り欠き部１８を設け、平面シート４の下辺７でのシート縁部同士を融着しているので、袋本体２の底部が広がりの面を有する部分として形成されるとき、下辺７自体は側辺シート５が位置している部分でも開くことがなく、重ね合わせて強度を向上した下辺７を底部の範囲内に位置させておくことで底部の不用意な変形を抑えて破袋を防止する。（図２）
【００４２】
なお、平面シート同士が切り欠き部１８の部分を通して直接融着すればよいものであるので、この切り欠き部１８の形状は限定されず、側面シートの一部を切り欠いたり透孔を設けたりすることが可能である。
【００４３】
また実施の形態の注出口具付きガゼット袋１には、袋本体２の内部が広がるときに注出口具３とは反対側の側面シート５の融着部１３側が折れ込みし易くするための傾斜融着部１９が設けられていて、融着部１３に前記側辺シート５の中央折り込み線が交差する位置から、注出口具３とは反対側の側辺６にかけて正面シート４と側面シート５とを傾斜した帯状にヒートシールにより融着している。そしてこの傾斜融着部１９は上端融着部１４の位置まで延長して形成されており、一部分が上記持ち手部１５の位置を通っていて、持ち手部１５の強度を高めている。
【００４４】
上述した下辺７での平面シート４同士を融着させて側面シート５の開きを生じさせないようにしているが、切り欠き部１８が、上記上端融着部１４や注出口具３とは反対側の側面シート５が通る融着部１３の位置にもあり、この切り欠き部１８が存在する部分で正面シート４同士の融着を行なって、側面シート５の無用な開きを防止して、ガゼット袋１の取り扱いを容易にしている。
【００４５】
（モニター評価）
つぎにシートから袋本体が形成され注出口具を有する袋において形状の異なるものを作製して、モニター評価を実施し、その結果を表１に示す。
・実施例として、上述した実施の形態のガゼット袋を作製した。
・比較例１として、注出口具が袋上部一隅にて斜め上方に向けて傾斜しているスタンディングパウチ形状の袋を作製した。
・比較例２として、側面にマチを配したガゼット形状で袋上辺中央に注出口具が配され、注出口具を跨ぐ略門状の持ち手部を袋本体の上辺に一体に設けた袋を作製した。
・比較例３として、袋本体の収納部の壁面となる平面シートに注出口具を配置し、袋本体の上辺全体を上方に延設してその延設された部分に持ち手部を配した袋を作製した。この比較例３での注出口具は一枚の平面シートに開けた取付孔に装着して溶着固定されているものとした。
【００４６】
図３で上記モニター評価に用いた袋の形状を概略的に示した。（Ａ）は実施例、（Ｂ）は比較例１、（Ｃ）は比較例２、（Ｄ）は比較例３である。図において切り欠き部１８を半円や円にて示していて、その位置で挟み込みされたシートに切り欠き部が設けられていることを表している。
【００４７】
（積層体の構成）
実施例と比較例１〜３の袋本体に用いたシート（積層体）は、ドライラミネート法によって貼り合わされてなるものであり、以下の構成とした。
ポリエチレンテレフタレートフィルム（ＰＥＴ  １２μｍ）／接着剤層／二軸延伸ナイロンフィルム（ＯＮＹ  １５μｍ）／接着剤層／直鎖状低密度ポリエチレンフィルム（ＬＬＤＰ  １５０μｍ）
【００４８】
（実験方法）
上記積層体としたシートで袋本体を作製し、注出口具を取り付けて、実施例、比較例１〜３の袋を作製した。そして、４リットルの水を入れ、自立性、運び易さ、注ぎ易さ（注ぎ相手大：バケツ、注ぎ相手小：プラスチックボトル）に対してのモニター評価を実施した。
【００４９】
【表１】
0006790457.tif 000002
【００５０】
モニター評価により、本発明の実施の形態であるガゼット袋の形状が最も注ぎ易さ、運び易さなどで総合的に優れていることが判った。なお、表１において○は良好、△は不良とする評価を表している。
【００５１】
（落下試験）
つぎに本発明の実施の形態である上記実施例（図３（Ａ）の袋）と、袋底部を底面シートを用いて構成している角底ガゼットの袋とした比較例４とを作製し、高さ１ｍの位置から落下試験を実施した。その結果を表２に示す。
【００５２】
（実験方法）
比較例４は実施例の袋と底部の構造が相違するだけとして他の部位については同じとしており、袋底部の構成では、底面シートを用いこの底面シートを平面シートとの重ね合わせとなる縁同士で溶着するとともに、底面シートと側面シートとの重ね合わせとなる縁同士で溶着を行なって角底ガゼットとした。そして実施例と比較例４の袋それぞれに４リットルの水を入れ、最大落下回数を５０回として何回目の落下で破袋したかを確認した。
【００５３】
【表２】
0006790457.tif 000003
【００５４】
表２から明らかなように、角底ガゼット形状の袋は２６回で破袋したのに対し、本発明の実施の形態である実施例は５０回落下をしても破袋しないため、底部強度が高いことが判った。
【符号の説明】
【００５５】
１…注出口具付きガゼット袋
２…袋本体
３…注出口具
４…平面シート
５…側面シート
６…袋本体の側辺
７…袋本体の下辺
８…傾斜融着部
９…傾斜シート縁部
１０…傾斜側辺
１１…注出口具の取付部
１２…袋本体の上辺
１３…融着部
１４…上端融着部
１５…持ち手部
１６…注出口具取付用逃げ部
１７…閉鎖融着部
１８…切り欠き部
１９…傾斜融着部
【図１】
0006790457.tif 000004
【図２】
0006790457.tif 000005
【図３】
0006790457.tif 000006